(57)【要約】【課題】  撮影シーンに適した形式で容易に録音すること。【解決手段】  撮影対象に応じて設定された撮影モードに基づいて録音時間を設定するようにした（ステップ２）。そのため、例えば、予め定められた録音時間を用いる方法に比べ、撮影対象に適した録音時間を容易に設定することができる。  即ち、「人物撮影モード」が設定されている場合には、人物の話し声を積極的に記録できる録音時間（撮影場所の臨場感を感じさせる録音時間）を設定することができ、「風景撮影モード」が設定されている場合には、人物の話し声を記録しない記録時間（話し声等でわずらわしく感じさせない記録時間）を設定することができる。【選択図】  図２
2007036427.tif 000002
【特許請求の範囲】
【請求項１】
撮影時の音声を記録する音声記録機能を有する静止画像の撮影装置であって、
前記静止画像の撮影に用いられる撮影用パラメータに基づいて前記音声の録音に用いられる録音用パラメータを設定する録音用パラメータ設定手段を備えたことを特徴とする撮影装置。
【請求項２】
前記録音用パラメータ設定手段は、前記静止画像の撮影モード、撮影倍率、画像サイズ、及び画像品質の少なくとも１つに基づいて前記録音用パラメータを設定することを特徴とする請求項１に記載の撮影装置。
【請求項３】
前記録音用パラメータは、前記音声の録音時間であることを特徴とする請求項１又は２に記載の撮影装置。
【発明の詳細な説明】
【技術分野】
【０００１】
本発明は、撮影時の音声の記録機能を有する静止画像の撮影装置に関する。
【背景技術】
【０００２】
従来、この種の撮影装置としては、例えば、レリーズスイッチが半押しされると、予め定めた所定時間にわたり音声を録音する電子カメラがある（例えば、特許文献１参照）。
【特許文献１】特開２００３−２３００９０号公報
【発明の開示】
【発明が解決しようとする課題】
【０００３】
ところで、一般に、適切な録音時間は撮影シーンごとに異なったものとなるが、上記従来の技術にあっては、録音時間を撮影シーンに適したものとするためには、撮影のたびに音声記録時間を手動で変更しなければならず、多大な手間がかかるという問題があった。
本発明は、上記従来技術の未解決の問題点の解決を目的とするものであって、撮影シーンに適した形式で容易に録音することができる撮影装置を提供することを課題とする。
【課題を解決するための手段】
【０００４】
したがって、上記課題を解決するために、本発明の撮影装置は、撮影時の音声を記録する音声記録機能を有する静止画像の撮影装置であって、前記静止画像の撮影に用いられる撮影用パラメータに基づいて前記音声の録音に用いられる録音用パラメータを設定する録音用パラメータ設定手段を備えたことを特徴とする。
また、前記録音用パラメータ設定手段は、前記静止画像の撮影モード、撮影倍率、画像サイズ、及び画像品質の少なくとも１つに基づいて前記録音用パラメータを設定してもよい。
【０００５】
さらに、前記録音用パラメータは、前記音声の録音時間であってもよい。
このような構成によれば、撮影シーンに応じて適切に設定された撮影用パラメータを用いることで、撮影シーンに適した形式で容易に録音することができる。
【発明を実施するための最良の形態】
【０００６】
以下、本発明の撮影装置を携帯電話機に適用した実施形態を図面に基づいて説明する。
即ち、この携帯電話機は、電話機として機能する電話機モードと、静止画像撮影用のカメラとして機能するカメラモードとに切り替え可能に構成されている。そして、カメラモードにあっては、静止画像の撮影とともに周囲の音声を録音可能に構成されている。
なお、以下では、携帯電話機１をカメラモードで使用するときの機能構成及び動作を中心に説明し、電話機モードで使用するときの機能構成及び動作については省略する。
【０００７】
＜カメラモード時における機能構成＞
図１は、本実施形態の携帯電話機１をカメラモードで使用するときの機能構成を示すブロック図である。この図１に示すように、カメラモード時における携帯電話機１は、ＣＣＤ(charge-coupled device)センサ２、マイク３、ＬＣＤ(liquid crystal display)コントローラ４、ＣＰＵ(central processing unit)５、不揮発メモリ６、ＬＣＤパネル７、及びスピーカ８を含んで構成される。
【０００８】
ＣＣＤセンサ２は、撮影対象の光をレンズ（不図示）を介して集光し、その集光結果に応じた映像信号をＬＣＤコントローラ４に出力する。
マイク３は、携帯電話機１の周囲の音声を集音し、その集音結果に応じた音声信号に変換してＬＣＤコントローラ４に出力する。
ＬＣＤコントローラ４は、撮影・表示部９及び録音・再生部１０を含んで構成される。
【０００９】
撮影・表示部９は、撮影のためのシャッタ操作が検出されると、ＣＣＤセンサ２から出力される映像信号をカメラＩ／Ｆ１１を介して取り込み、色変換部１２、表示メモリ１３、及びＬＣＤパネルＩ／Ｆ１４を介してＬＣＤパネル７に出力する。また、撮影・表示部９は、前記取り込まれた映像信号を静止画像圧縮・伸張部１５、及び録音・再生部１０（ＣＰＵＩ／Ｆ１８）を介してＣＰＵ５に出力する。
【００１０】
また、撮影・表示部９は、不揮発メモリ６に格納されている映像信号の表示時には、ＣＰＵＩ／Ｆ１１を介してＣＰＵ５から出力される映像信号を、静止画像圧縮・伸張部１５、表示メモリ１３、及びＬＣＤパネルＩ／Ｆ１４を介してＬＣＤパネル７に出力する。
録音・再生部１０は、マイク３から出力される音声信号をＡ／Ｄ変換器１６を介して取り込み、音声処理部１７、及びＣＰＵＩ／Ｆ１８を介してＣＰＵ５に出力する。また、録音・再生部１０は、ＣＰＵＩ／Ｆ１８を介してＣＰＵ５から音声信号が出力されると、音声処理部１７、及びＤ／Ａ変換器１９を介してスピーカ８に出力する。
【００１１】
音声処理部１７は、音声圧縮部２０、リングバッファメモリ２１、音声記録時間設定回路２２、音声伸張部２３及び映像・音声同期再生処理回路２４を含んで構成される。
音声圧縮部２０は、Ａ／Ｄ変換器１６から所定時間（例えば、10msec.）毎に出力される音声信号を順次圧縮して、リングバッファメモリ２１に出力する。
リングバッファメモリ２１は、ＣＰＵＩ／Ｆ１８を介してＣＰＵ５から出力されるメモリ領域確保信号（後述）に基づいてメモリ領域を確保する。そして、リングバッファメモリ２１は、音声圧縮部２０で圧縮された音声信号を前記確保されたメモリ領域に当該メモリ領域の先頭アドレスから順に格納する。なお、リングバッファメモリ２１は、前記音声信号の格納が繰り返され、前記確保されたメモリ領域の最終アドレスにまで音声信号が格納された場合には、再び前記先頭アドレスから順に前記音声信号を格納する。
【００１２】
音声記録時間設定回路２２は、ＣＰＵＩ／Ｆ１８を介してＣＰＵ５から音声記録時間設定信号（後述）が出力されると計時タイマを起動する。そして、音声記録時間設定回路２２は、前記計時タイマによる計時結果が前記音声記録時間設定信号に応じた時間となるとＣＰＵＩ／Ｆ１８を介してＣＰＵ５に時間報知信号を出力する。
音声伸張部２３は、ＣＰＵＩ／Ｆ１８を介してＣＰＵ５から出力される音声信号（後述）を伸張して、映像・音声同期再生処理回路２４に出力する。
【００１３】
映像・音声同期再生処理回路２４は、音声伸張部２３で伸張された音声信号を、当該音声信号に関連づけられている映像信号（１つの画像データとして格納されていた映像信号）のＬＣＤパネル５による表示と同期してＤ／Ａ変換器１９に出力する。
ＬＣＤパネル７は、ＬＣＤコントローラ４（ＬＣＤパネルＩ／Ｆ１４）から出力される映像信号に応じた画像を表示画面に表示する。
【００１４】
ＣＰＵ５は、携帯電話機１がカメラモードになると録音処理（後述）を実行する。そして、録音処理が実行されると、静止画像の撮影とともに録音する音声の録音時間を、撮りたい撮像対象に適した設定とするための撮影モードに基づいて設定し、その設定された録音時間に応じたメモリ領域を確保させる信号（以下、「メモリ領域確保信号」とも呼ぶ。）をリングバッファメモリ２１に出力する。また、マイク３から出力される音声信号のＡ／Ｄ変換器変換を開始させる信号（以下、「Ａ／Ｄ変換器変換開始信号」とも呼ぶ。）をＡ／Ｄ変換器１６に出力する。そして、Ａ／Ｄ変換器１６から出力される音声信号の音声圧縮を開始させる信号（以下、「音声圧縮開始信号」とも呼ぶ。）を音声圧縮部２０に出力する。
【００１５】
また、シャッタ操作がされると、前記設定された録音時間の半分の時間を示す信号（以下、「音声記録時間設定信号」とも呼ぶ。）を音声記録時間設定回路２２に出力した後、音声記録時間設定回路２２から時間報知信号が出力されるまで待機状態となる。
さらに、Ａ／Ｄ変換器変換を終了させる信号（以下、「Ａ／Ｄ変換器変換終了信号」とも呼ぶ。）をＡ／Ｄ変換器１６に出力し、音声圧縮を終了させる信号（以下、「声圧縮終了信号」とも呼ぶ。）を音声圧縮部２０に出力する。そして、リングバッファメモリ２１に格納されている音声信号と静止画像圧縮・伸張部１５から出力される１画面分の映像信号とを関連づけて不揮発メモリ６に格納してから、この演算処理を終了する。
【００１６】
また、ＣＰＵ５は、不揮発メモリ６に格納されている映像信号の表示時には、当該映像信号を静止画像圧縮・伸張部１５に出力する。
不揮発メモリ６は、ＣＰＵ５から出力される音声信号と１画面分の映像信号とを関連づけて格納する（１つの画像データとして記録する）。
スピーカ８は、ＬＣＤコントローラ４（Ｄ／Ａ変換器１９）から出力される音声信号を再生して出力する。
【００１７】
＜ＣＰＵの動作＞
次に、ＣＰＵ５で実行される録音処理について説明する。この録音処理は、携帯電話機１の電源がオン状態になると実行される処理であって、図２に示すように、まずそのステップＳ１で、カメラモードであるか否かを判定する。カメラモードである場合には（Ｙｅｓ）ステップＳ２に移行し、カメラモードでない場合には（Ｎｏ）この判定を繰り返し実行する。なお、本実施形態の携帯電話機１にあっては、電源がオン状態とされた初期状態に、通話モードを設定するようになっている。
【００１８】
前記ステップＳ２では、まず、撮影モードの設定状態に基づき、図３の制御テーブルを参照して音声の録音時間を設定する。ここで制御テーブルは、図３に示すように、人物の撮影に適した設定とする「人物撮影モード」が設定されている場合には前記録音時間を最大時間（例えば、５se c.）とし、風景の撮影に適した設定とする「風景撮影モード」が設定されている場合には前記録音時間を「０」とし、その他のモードが設定されている場合には前記最大時間の半分の時間とする。
【００１９】
次いで、その設定された録音時間に応じたメモリ領域（当該録音時間分の音声信号を格納すると満杯となる大きさのメモリ領域）を確保させるメモリ領域確保信号をリングバッファメモリ２１に出力する。即ち、そのメモリ領域確保信号をリングバッファメモリ２１に出力することで、前記録音時間が最大時間とされた場合には、図４（ａ）に示すように、当該最大時間分の音声信号を格納すると満杯となる大きさのメモリ領域を確保させ、前記録音時間が「０」とされた場合には、図４（ｂ）に示すように、メモリ領域を確保させず、前記録音時間が最大時間の半分の時間とされた場合には、図４（ｃ）に示すように、当該最大時間の半分の時間分の音声信号を格納すると満杯となる大きさのメモリ領域を確保させる。なお、単位録音時間分の音声信号の格納に必要なメモリ領域は、音声信号の内容によらず一定であるとする。
【００２０】
次にステップＳ３に移行して、マイク３から出力される音声信号のＡ／Ｄ変換器変換を開始させるＡ／Ｄ変換器変換開始信号をＡ／Ｄ変換器１６に出力する。また、Ａ／Ｄ変換器１６から出力される音声信号の音声圧縮を開始させる信号（以下、「音声圧縮開始信号」とも呼ぶ。）を音声圧縮部２０に出力する。
次にステップＳ４に移行して、撮影のためのシャッタ操作がされたか否かを判定する。シャッタ操作がされた場合には（Ｙｅｓ）ステップＳ５に移行し、シャッタ操作がされていない場合には（Ｎｏ）この判定を繰り返し実行する。
【００２１】
次にステップＳ５に移行して、前記ステップＳ２で設定された録音時間の半分の時間を示す音声記録時間設定信号を音声記録時間設定回路２２に出力した後、音声記録時間設定回路２２から時間報知信号が出力されるまで待機状態となる。
次にステップＳ６に移行して、前記ステップＳ３で開始させたＡ／Ｄ変換器変換を終了させるＡ／Ｄ変換器変換終了信号をＡ／Ｄ変換器１６に出力する。また、前記ステップＳ３で開始させた音声圧縮を終了させる声圧縮終了信号を音声圧縮部２０に出力する。さらに、リングバッファメモリ２１に格納されている音声信号と静止画像圧縮・伸張部１５から出力される１画面分の映像信号とを関連づけて不揮発メモリ６に格納してから、この演算処理を終了する。なお、リングバッファメモリ２１に格納されている音声信号は、最後の音声信号が格納されたアドレスの次のアドレスから順に読み出す。また、リングバッファメモリ２１は、前記音声信号の読み出しが繰り返され、前記確保されたメモリ領域の最終アドレスから音声信号が読み出された場合には、再び前記先頭アドレスから順に前記音声信号を読み出し、前記格納されている音声信号を全て読み出す。
【００２２】
＜携帯電話機の具体的動作＞
次に、本実施形態の携帯電話機１の動作を具体的状況に基づいて詳細に説明する。
まず、利用者が携帯電話機１の電源をオン状態とした後、携帯電話機１をカメラモードとし、撮影モードを「人物撮影モード」としたとする。すると、ＣＰＵ５で、録音処理が実行され、図２に示すように、まずそのステップＳ１の判定が「Ｙｅｓ」となり、ステップＳ２で、録音時間が５sec.とされ、その設定された録音時間分の音声信号に応じたメモリ領域確保信号がリングバッファメモリ２１に出力される。
【００２３】
リングバッファメモリ２１は、前記メモリ領域確保信号を取得すると、５sec.分の音声信号を格納すると満杯となる大きさのメモリ領域を確保する。
また、ステップＳ３で、Ａ／Ｄ変換器変換開始信号がＡ／Ｄ変換器１６に出力され、音声圧縮開始信号が音声圧縮部２０に出力される。
Ａ／Ｄ変換器１６は、前記Ａ／Ｄ変換器変換開始信号を取得すると、周囲の音声の音声信号（マイク３から出力される音声信号）のＡ／Ｄ変換器変換を開始する。また、音声圧縮部２０は、前記音声圧縮開始信号を取得すると、前記Ａ／Ｄ変換器変換された音声信号の音声圧縮を開始する。すなわち、音声圧縮部２０は、Ａ／Ｄ変換器１６から出力される音声信号を順次圧縮して、リングバッファメモリ２１に出力する。そして、リングバッファメモリ２１は、前記音声圧縮部２０から出力された音声信号を前記確保されたメモリ領域に当該メモリ領域の先頭アドレスから順に格納する動作を繰り返し実行し、常に５sec.分の音声信号を格納する。
【００２４】
次に、利用者が撮影のためにシャッタ操作をしたとする。すると、撮影・表示部９は、撮影対象の映像信号（ＣＣＤセンサ２から出力される映像信号）をカメラＩ／Ｆ１１を介して取り込み、色変換部１２、表示メモリ１３、及びＬＣＤパネルＩ／Ｆ１４を介してＬＣＤパネル７に出力する。そして、ＬＣＤパネル７は、前記映像信号を取得すると、当該映像信号に応じた静止画像（撮影対象の画像）を表示画面に表示する。
【００２５】
また、撮影・表示部９は、前記取り込まれた映像信号を静止画像圧縮・伸張部１５、及び録音・再生部１０を介してＣＰＵ５に出力する。
また同時に、ステップＳ４の判定が「Ｙｅｓ」となり、ステップＳ５で、前記設定された録音時間を示す音声記録時間設定信号が音声記録時間設定回路２２に出力される。
音声記録時間設定回路２２は、その音声記録時間設定信号を取得すると時計タイマを起動してから待機状態となる。そして、前記計時タイマによる計時結果が２．５sec.となるとＣＰＵ５に時間報知信号を出力する。
【００２６】
また、その時間報知信号が出力されると、ステップＳ６で、Ａ／Ｄ変換器変換終了信号がＡ／Ｄ変換器１６に出力され、音声圧縮終了信号が音声圧縮部２０に出力される。
Ａ／Ｄ変換器１６は、前記Ａ／Ｄ変換器変終了始信号を取得すると、周囲の音声の音声信号（マイク３から出力される音声信号）のＡ／Ｄ変換器変換を終了する。また、音声圧縮部２０は、前記音声圧縮終了信号を取得すると、前記Ａ／Ｄ変換器変換された音声信号の音声圧縮を終了する。すなわち、音声圧縮部２０は、新しい音楽信号のリングバッファメモリ２１への出力を終了する。そして、リングバッファメモリ２１は、シャッタ操作の前後２．５sec.分の音声信号を前記確保されたメモリ領域に格納する。
【００２７】
そして、ステップＳ６で、リングバッファメモリ２１に格納されている音声信号と、前記静止画像圧縮・伸張部１５から出力される１画面分の映像信号とを関連づけて不揮発メモリ６に格納された後、この演算処理を終了する。
一方、撮影モードを「風景撮影モード」としたとする。すると、前記ステップＳ２で、録音時間が０sec.とされる。そのため、リングバッファメモリ２１は、メモリ領域を確保せず、音声信号を格納しない。その結果、前記ステップＳ６で、前記静止画像圧縮・伸張部１５から出力される映像信号のみが不揮発メモリ６に格納される。
【００２８】
このように、本実施形態の携帯電話機１にあっては、撮影対象に応じて設定された撮影モードに基づいて録音時間を設定するようにした。そのため、例えば、予め定められた録音時間を用いる方法に比べ、撮影対象に適した録音時間を容易に設定することができる。
即ち、「人物撮影モード」が設定されている場合には、人物の話し声を積極的に記録できる録音時間（撮影場所の臨場感を感じさせる録音時間）５sec.を設定することができ、「風景撮影モード」が設定されている場合には、人物の話し声を記録しない記録時間（話し声等でわずらわしく感じさせない記録時間）０sec.を設定することができる。
【００２９】
以上、上記実施形態では、図１のＣＰＵ５、図２のステップＳ２が特許請求の範囲に記載の録音用パラメータ設定手段を構成する。
なお、本発明の撮影装置は、上記実施の形態の内容に限定されるものではなく、本発明の趣旨を逸脱しない範囲で適宜変更可能である。
上記実施形態では、撮影モードに基づいて録音時間を設定する例を示したが、これに限られるものではない。例えば、撮影倍率に基づいて録音時間を設定するようにしてもよい。具体的には、撮影倍率が第１閾値より低い場合には前記録音時間を最大時間とし、前記第１閾値より大きい第２閾値以上である場合には前記録音時間を「０」とし、前記第１閾値以上であり且つ前記第２閾値より小さい場合には前記最大時間の半分の時間とする。
【００３０】
また、例えば、画像サイズ、及び画像クオリティ（ＪＰＥＧの圧縮率）に基づいて録音時間を設定するようにしてもよい。さらに、例えば、撮影モード、撮影倍率、画像サイズ、及び画像クオリティのいずれか１つ、或いはそれらの組み合わせに基づいて、Ａ／Ｄ変換器１６のゲインやサンプリングレート、リングバッファメモリ２１のメモリ容量、シャッタ操作後に報知信号を出力するタイミング等を設定するようにしてもよい。
【００３１】
さらに、シャッタ操作がされてからの経過時間を計時タイマで計時し、音声記録時間設定信号に応じた時間が計時されるとリングバッファメモリ２１への音声信号の格納を終了する例を示したが、これに限られるものではない。例えば、シャッタ操作がされてから所定容量の音声信号を格納したときに（所定アドレス数分の音声信号を格納したときに）リングバッファメモリ２１への音声信号の格納を終了するようにしてもよい。
【図面の簡単な説明】
【００３２】
【図１】携帯電話機のカメラモード時の機能構成を示すブロック図である。
【図２】図１のＣＰＵで実行される録音処理を示すフローチャートである。
【図３】録音処理で用いられる制御テーブルを説明するための説明図である。
【図４】リングバッファメモリの動作を説明するための説明図である。
【符号の説明】
【００３３】
１は撮影装置、２はＣＣＤセンサ、３はマイク、４はＬＣＤコントローラ、５はＣＰＵ、６は不揮発メモリ、７はＬＣＤパネル、８はスピーカ、９は撮影・表示部、１０は録音・再生部、１１はカメラＩ／Ｆ、１２は色変換部、１３は表示メモリ、１４はＬＣＤパネルＩ／Ｆ、１５は静止画像圧縮・伸張部、１６はＡ／Ｄ変換器、１７は音声処理部、１８はＣＰＵＩ／Ｆ、１９はＤ／Ａ変換器、２０は音声圧縮部、２１はリングバッファメモリ、２２は音声記録時間設定回路、２３は音声伸張部、２４は映像・音声同期再生処理回路
【図１】
2007036427.tif 000003
【図２】
2007036427.tif 000004
【図３】
2007036427.tif 000005
【図４】
2007036427.tif 000006